(57)【要約】【課題】薬剤の検査において、誤判定を抑制しつつ効率のよい検査を実現する。【解決手段】薬剤検査装置１０は、処方箋情報に基づいて調剤され、分包袋に分包される薬剤を検査する。薬剤データベース１５は、調剤され得る薬剤の薬剤画像を含む。比較対象選定手段１６は、薬剤データベース１５から、処方箋に従って調剤されるべき薬剤及びそれに類似する薬剤の薬剤画像を取得する。薬剤判別手段１３は、調剤された薬剤の撮影画像を、薬剤データベース１５から取得された薬剤画像と照合し、撮影画像中に存在する薬剤及びその個数を判別する。検査結果判定手段１７は、処方箋情報に基づいて、調剤された薬剤及びその個数が処方箋情報と合致するか否かを判断する。【選択図】図１
2014064836.tif 000002
【特許請求の範囲】
【請求項１】
処方箋情報に基づいて調剤され、分包袋に分包される薬剤を検査する薬剤検査装置において、
調剤され得る薬剤の薬剤画像を含む薬剤データベースから、処方箋に従って調剤されるべき薬剤及び該薬剤に類似する薬剤の薬剤画像を取得する比較対象選定手段と、
調剤された薬剤を撮影した撮影画像を前記薬剤データベースから取得された薬剤画像と照合し、前記撮影画像中に存在する薬剤がどの薬剤に該当するか及び各薬剤の個数を判別する第１の薬剤判別手段と、
前記処方箋情報に基づいて、調剤された薬剤及び個数が処方箋情報と合致するか否かを判断する検査結果判定手段とを備えたことを特徴とする薬剤検査装置。
【請求項２】
前記撮影画像が、前記調剤された薬剤が分包された分包袋を撮影した画像であることを特徴とする請求項１に記載の薬剤検査装置。
【請求項３】
前記分包袋には、服用時点ごとに服用すべき薬剤が分包されることを特徴とする請求項１又は２に記載の薬剤検査装置。
【請求項４】
前記検査結果判定手段が、服用時点ごとに、分包袋に分包された薬剤と該薬剤の個数とが処方箋情報に合致するか否かを判断するものであることを特徴とする請求項３に記載の薬剤検査装置。
【請求項５】
前記第１の薬剤判別手段が、前記撮影画像から文字を抽出して認識し、認識した文字に基づいて前記撮影画像中に存在する薬剤を判別することを特徴とする請求項１から４何れかに記載の薬剤検査装置。
【請求項６】
処方箋で、同時判定不能であると判断される複数の薬剤が同時に処方されているときは、前記薬剤判別手段が前記照合を行うことなく、前記検査結果判定手段が処方箋情報に合致しているか否かの判定が不能であると判定することを特徴とする請求項１から５何れかに記載の薬剤検査装置。
【請求項７】
前記第１の薬剤判別手段が、前記撮影画像から抽出された特徴量に最も近い特徴量を持つ薬剤画像と前記撮影画像との特徴量の差と、２番目に近い特徴量を持つ薬剤画像と前記撮影画像との特徴量の差とを比較し、双方の差が同程度であるときには薬剤の判別が不能であると判断し、前記検査結果判定手段が、処方箋情報に合致しているか否かの判定が不能であると判定することを特徴とする請求項１から６何れかに記載の薬剤検査装置。
【請求項８】
前記検査結果判定手段が、判定不能と判定すると、判定不能と判定された薬剤に対応する分包袋に、可視光では視認できないインクを用いて判定不能を示す印刷を行わせることを特徴とする請求項６又は７に記載の薬剤検査装置。
【請求項９】
前記検査結果判定手段が、判定不能と判定すると、前記撮影画像と、前記薬剤データベースからの薬剤画像とを表示させ、ユーザに確認結果の入力を促すことを特徴とする請求項６から８何れかに記載の薬剤検査装置。
【請求項１０】
前記比較対象選定手段が、処方箋情報に基づいて、前記薬剤データベースから、処方箋情報に含まれる薬剤及び該薬剤に類似する薬剤の薬剤画像を取得するものであることを特徴とする請求項１から９何れかに記載の薬剤検査装置。
【請求項１１】
前記比較対象選定手段が、調剤の際に際に使用された薬剤を特定するための払出し情報に基づいて、前記薬剤データベースから、前記払出し情報に含まれる薬剤及び該薬剤に類似する薬剤の薬剤画像を取得するものであることを特徴とする請求項１から９何れかに記載の薬剤検査装置。
【請求項１２】
前記比較対象選定手段が、調剤されるべき薬剤の特徴空間上での位置から所定のしきい値以内の距離にある薬剤の薬剤画像を、前記調剤されるべき薬剤に類似する薬剤の薬剤画像として取得することを特徴とする請求項１から１１何れかに記載の薬剤検査装置。
【請求項１３】
前記薬剤データベースが各薬剤について類似する薬剤のリストを持ち、前記比較対象選定手段が、前記類似する薬剤のリストを参照して前記調剤されるべき薬剤に類似する薬剤の薬剤画像を取得することを特徴とする請求項１から１１何れかに記載の薬剤検査装置。
【請求項１４】
調剤された薬剤の撮影画像から各薬剤の外形特徴及びサイズ特徴を抽出し、該抽出した外形特徴及びサイズ特徴と、調剤されるべき薬剤の外形特徴及びサイズ特徴と比較して薬剤の一次判別を行う第２の薬剤判別手段を更に有し、
前記第１の薬剤判別手段が、前記第２の薬剤判別手段で判別不能な薬剤について、前記撮影画像と前記薬剤データベースから取得された薬剤画像との照合を行うことを特徴とする請求項１から１３何れかに記載の薬剤検査装置。
【請求項１５】
前記第２の薬剤判別手段が、撮像手段とは反対側から前記調剤された薬剤に照明光を照射して撮影された撮影画像から、外形特徴及びサイズ特徴を抽出するものであることを特徴とする請求項１４に記載の薬剤検査装置。
【請求項１６】
前記第２の薬剤判別手段が、処方箋情報に、外形特徴及びサイズ特徴が類似する２以上の薬剤が含まれるときは、該類似する２以上の薬剤を判別不能と判定することを特徴とする請求項１４又は１５に記載の薬剤検査装置。
【請求項１７】
前記検査結果判定手段が、調剤された薬剤及び個数が処方箋情報と合致すると判定すると、当該合致すると判定された薬剤に対応する分包袋に検査結果ＯＫを示す印刷を行わせることを特徴とする請求項１から１６何れかに記載の薬剤検査装置。
【請求項１８】
前記検査結果判定手段が、調剤された薬剤及び個数が処方箋情報と合致しないと判定すると、当該合致しないと判定された薬剤に対応する分包袋に、可視光では視認できないインクを用いて検査結果ＮＧを示す印刷を行わせることを特徴とする請求項１から１７何れかに記載の薬剤検査装置。
【請求項１９】
前記検査結果判定手段が、調剤された薬剤及び個数が処方箋情報と合致しないと判定すると、前記撮影画像と、前記薬剤データベースからの薬剤画像とを表示させ、ユーザに確認結果の入力を促すことを特徴とする請求項１から１８何れかに記載の薬剤検査装置。
【請求項２０】
前記薬剤データベースに前記調剤されるべき薬剤の薬剤画像が存在しないとき、ユーザに、前記撮影画像に含まれる調剤されるべき薬剤の部分画像の指定を促し、該指定された部分画像を前記薬剤データベースに追加登録するデータベース登録手段を更に備えたことを特徴とする請求項１から１９何れかに記載の薬剤検査装置。
【請求項２１】
前記薬剤データベースに前記調剤されるべき薬剤の薬剤画像が存在しないとき、遠隔のマスタデータベースにアクセスし、前記調剤されるべき薬剤の薬剤画像を取得するデータベース登録手段を更に備えたことを特徴とする請求項１から１９何れかに記載の薬剤検査装置。
【請求項２２】
薬剤検査装置が、処方箋情報に基づいて調剤され、分包袋に分包される薬剤を検査する方法であって、
前記薬剤検査装置が、調剤され得る薬剤の薬剤画像を含む薬剤データベースから、処方箋に従って調剤されるべき薬剤及び該薬剤に類似する薬剤の薬剤画像を取得するステップと、
前記薬剤検査装置が、調剤された薬剤を撮影した撮影画像を前記薬剤データベースから取得された薬剤画像と照合し、前記撮影画像中に存在する薬剤がどの薬剤に該当するか及び各薬剤の個数を判別するステップと、
前記薬剤検査装置が、前記処方箋情報に基づいて、調剤された薬剤及び個数が処方箋情報と合致するか否かを判断するステップとを有することを特徴とする薬剤検査方法。
【発明の詳細な説明】
【技術分野】
【０００１】
本発明は、薬剤検査装置及び方法に関し、更に詳しくは、処方箋に従って処方された薬剤が処方箋通りであるか否かを検査する薬剤検査装置及び方法に関する。
【背景技術】
【０００２】
近年、医薬分離が進んでおり、患者が医療機関で診察を受けた後に、医師により作成された処方箋を調剤薬局に持ち込み、調剤薬局で処方箋に従って薬剤を調剤することが一般的となっている。調剤においては、薬袋などの収容体（以下、分包袋とも言う）に複数の薬剤を分包することがある。分包では、例えば朝、昼、夜などの服用時点ごとに、各服用時点で服用すべき複数の薬剤を１つの分包袋に分包する。
【０００３】
薬剤の分包では、患者への安全を期するため、薬剤師は、分包された薬剤が医師の発行した処方箋の内容に従って調剤されているか否かを検査する。薬剤師による検査を支援する装置としては、例えば特許文献１に記載されたものがある。特許文献１では、処方箋に従って分包袋に包装された薬剤を順次搬送しているとき、搬送されている分包袋内の薬剤を順次撮像し、撮影された分包袋内の薬剤を表示すると共に、処方すべき薬剤の画像データを画像データベースから読み出して表示する。このとき、搬送されている分包袋内の各薬剤の画像と、データベースから読み出された画像とを、少なくとも所定時間は同時に表示する。
【０００４】
薬剤師は、同時に表示される、ベルトコンベアで搬送される薬剤を実際に撮像した画像と、処方箋に記載される、分包袋内に収容されるべき薬剤のグラフィック画像とを見比べ、薬剤の外形や外表面に印字されている識別コードを視認することで、処方箋どおりの薬剤が分包袋内に収容されているか否かを検査する。特許文献１には、カメラで撮像した画像をコンピュータで画像処理し、画像データベースからの画像データとコンピュータで比較することで、薬剤が処方箋に従って正しく分包されているかどうかをコンピュータで自動検査するようにしてもよいとも記載されている。
【先行技術文献】
【特許文献】
【０００５】
【特許文献１】特開平１０−１６２１１６号公報
【発明の概要】
【発明が解決しようとする課題】
【０００６】
ここで、特許文献１では、撮影された分包袋内の薬剤画像を、処方箋に記載された薬剤の画像とピンポイントで比較している。特にコンピュータを用いて画像認識することを考えると、薬剤の中には外観（例えば形状、色、大きさ）がよく似た薬剤もあり、誤ってよく似た薬剤が調剤されると、本当は間違った薬剤が分包されているのに、検査結果ＯＫと誤判定する可能性が高くなる。一方で、全ての薬剤の画像と比較して判定を行うと、薬剤は多数あることから、判定に要する時間が長くなりすぎる。
【０００７】
本発明は、上記問題点を解消し、薬剤の検査において、誤判定を抑制しつつ効率のよい検査を実現する薬剤検査装置及び方法を提供することを目的とする。
【課題を解決するための手段】
【０００８】
上記目的を達成するために、本発明は、処方箋情報に基づいて調剤され、分包袋に分包される薬剤を検査する薬剤検査装置において、調剤され得る薬剤の薬剤画像を含む薬剤データベースから、処方箋に従って調剤されるべき薬剤及びその薬剤に類似する薬剤の薬剤画像を取得する比較対象選定手段と、調剤された薬剤を撮影した撮影画像を薬剤データベースから取得された薬剤画像と照合し、撮影画像中に存在する薬剤がどの薬剤に該当するか及び各薬剤の個数を判別する第１の薬剤判別手段と、処方箋情報に基づいて、調剤された薬剤及び個数が処方箋情報と合致するか否かを判断する検査結果判定手段とを備えたことを特徴とする薬剤検査装置を提供する。
【０００９】
本発明において、撮影画像が、調剤された薬剤が分包された分包袋を撮影した画像とすることができる。
【００１０】
検査対象となる分包袋には、服用時点ごとに服用すべき薬剤が分包されていてもよい。
【００１１】
検査結果判定手段は、服用時点ごとに、分包袋に分包された薬剤とその薬剤の個数とが処方箋情報に合致するか否かを判断するものであってもよい。
【００１２】
第１の薬剤判別手段は、撮影画像から文字を抽出して認識し、認識した文字に基づいて撮影画像中に存在する薬剤を判別してもよい。
【００１３】
処方箋で、同時判定不能であると判断される複数の薬剤が同時に処方されているときは、薬剤判別手段が照合を行うことなく、検査結果判定手段が処方箋情報に合致しているか否かの判定が不能と判定することとしてもよい。
【００１４】
また、第１の薬剤判別手段が、撮影画像から抽出された特徴量に最も近い特徴量を持つ薬剤画像と撮影画像との特徴量の差と、２番目に近い特徴量を持つ薬剤画像と撮影画像との特徴量の差とを比較し、双方の差が同程度であるときには薬剤の判別が不能であると判断し、検査結果判定手段が、処方箋情報に合致しているか否かの判定が不能であると判定することしてもよい。
【００１５】
検査結果判定手段は、判定不能と判定すると、判定不能と判定された薬剤に対応する分包袋に、可視光では視認できないインクを用いて判定不能を示す印刷を行わせてもよい。
【００１６】
検査結果判定手段は、判定不能と判定すると、撮影画像と、薬剤データベースからの薬剤画像とを表示させ、ユーザに確認結果の入力を促すこととしてもよい。
【００１７】
比較対象選定手段は、処方箋情報に基づいて、薬剤データベースから、処方箋情報に含まれる薬剤及びその薬剤に類似する薬剤の薬剤画像を取得してもよい。
【００１８】
上記に加えて、比較対象選定手段が、調剤の際に際に使用された薬剤を特定するための払出し情報に基づいて、薬剤データベースから、払出し情報に含まれる薬剤及びその薬剤に類似する薬剤の薬剤画像を取得するようにしてもよい。
【００１９】
比較対象選定手段は、調剤されるべき薬剤の特徴空間上での位置から所定のしきい値以内の距離にある薬剤の薬剤画像を、調剤されるべき薬剤に類似する薬剤の薬剤画像として取得してもよい。
【００２０】
薬剤データベースが各薬剤について類似する薬剤のリストを持ち、比較対象選定手段が、類似する薬剤のリストを参照して調剤されるべき薬剤に類似する薬剤の薬剤画像を取得する構成としてもよい。
【００２１】
本発明の薬剤検査装置は、調剤された薬剤の撮影画像から各薬剤の外形特徴及びサイズ特徴を抽出し、その抽出した外形特徴及びサイズ特徴と、調剤されるべき薬剤の外形特徴及びサイズ特徴と比較して薬剤の一次判別を行う第２の薬剤判別手段を更に有する構成を採用でき、その場合、第１の薬剤判別手段は、第２の薬剤判別手段で判別不能な薬剤について、撮影画像と薬剤データベースから取得された薬剤画像との照合を行うこととしてもよい。
【００２２】
第２の薬剤判別手段は、撮像手段とは反対側から調剤された薬剤に照明光を照射して撮影された撮影画像から、外形特徴及びサイズ特徴を抽出することが好ましい。
【００２３】
第２の薬剤判別手段が、処方箋情報に、外形特徴及びサイズ特徴が類似する２以上の薬剤が含まれるときは、それら類似する２以上の薬剤を判別不能と判定してもよい。
【００２４】
検査結果判定手段は、調剤された薬剤及び個数が処方箋情報と合致すると判定したときに、その合致すると判定された薬剤に対応する分包袋に検査結果ＯＫを示す印刷を行わせてもよい。
【００２５】
検査結果判定手段は、調剤された薬剤及び個数が処方箋情報と合致しないと判定したときに、その合致しないと判定された薬剤に対応する分包袋に、可視光では視認できないインクを用いて検査結果ＮＧを示す印刷を行わせてもよい。
【００２６】
検査結果判定手段は、調剤された薬剤及び個数が処方箋情報と合致しないと判定すると、撮影画像と、薬剤データベースからの薬剤画像とを表示させ、ユーザに確認結果の入力を促してもよい。
【００２７】
本発明の薬剤検査装置は、薬剤データベースに調剤されるべき薬剤の薬剤画像が存在しないときに、ユーザに、撮影画像に含まれる調剤されるべき薬剤の部分画像の指定を促し、指定された部分画像を薬剤データベースに追加登録するデータベース登録手段を更に備えていてもよい。
【００２８】
本発明の薬剤検査装置は、薬剤データベースに調剤されるべき薬剤の薬剤画像が存在しないときに、遠隔のマスタデータベースにアクセスし、調剤されるべき薬剤の薬剤画像を取得するデータベース登録手段を更に備えていてもよい。
【００２９】
本発明は、また、処方箋情報に基づいて調剤され、分包袋に分包される薬剤を検査する方法であって、調剤され得る薬剤の薬剤画像を含む薬剤データベースから、処方箋に従って調剤されるべき薬剤及びその薬剤に類似する薬剤の薬剤画像を取得するステップと、薬剤検査装置が、調剤された薬剤を撮影した撮影画像を薬剤データベースから取得された薬剤画像と照合し、撮影画像中に存在する薬剤がどの薬剤に該当するか及び各薬剤の個数を判別するステップと、薬剤検査装置が、処方箋情報に基づいて、調剤された薬剤及び個数が処方箋情報と合致するか否かを判断するステップとを有することを特徴とする薬剤検査方法を提供する。
【発明の効果】
【００３０】
本発明の薬剤検査装置及び方法では、調剤された薬剤を撮影した撮影画像を、処方箋に従って調剤されるべき薬剤とそれに類似する薬剤の薬剤画像と照合し、薬剤及びその個数を判別する。画像照合の対象を、処方箋に従って調剤されるべき薬剤だけでなく、それに類似する薬剤を加えた範囲まで拡大することで、誤って似た薬剤が誤って調剤されたとき、検査結果ＯＫと誤判定される可能性を低減できる。また、検査の対象を類似する範囲としているため、薬剤データベースに登録された全ての薬剤と画像照合する場合に比べて、画像照合に要する時間を短縮できる。つまり、誤判定を抑制しつつ、効率のよい検査を実現できる。
【図面の簡単な説明】
【００３１】
【図１】本発明の一実施形態の薬剤検査装置（画像処理装置）を含む薬剤検査システムの構成を示すブロック図。
【図２】薬剤データベースに格納される情報の一例を示す図。
【図３】処方された薬剤と、比較対象選定手段が取得する薬剤画像との関係を示す図。
【図４】第１実施形態の薬剤検査システムの動作手順を示すフローチャート。
【図５】変形例の薬剤検査装置を示すブロック図。
【図６】本発明の第２実施形態の薬剤検装置を含む薬剤検査システムを示すブロック図。
【図７】本発明の第３実施形態の薬剤検装置を含む薬剤検査システムを示すブロック図。
【図８】カメラによる分包袋の撮影を示す図。
【図９】第３実施形態の薬剤検査システムにおける動作手順を示すフローチャート。
【発明を実施するための形態】
【００３２】
本発明の実施形態の説明に先立って、医師による薬剤の処方から、調剤された薬剤が患者の手に渡るまでの概略的な流れについて説明する。医師が処方箋を作成すると、薬剤師は、処方箋で指定された薬剤をＰＴＰ（プレススルーパッケージ）などの包装材から一袋分ずつトレイなどに払い出す。あるいは、自動薬剤払出し装置に処方箋情報を入力し、自動薬剤払出し装置が薬剤の払出しを行ってもよい。分包装置は、処方箋情報に従って、払い出された薬剤を、例えば服用時点ごとに分包する。分包された薬剤は、薬剤師による最終チェックなどを経て、患者に渡される。本発明の薬剤検査装置は、薬剤師による、患者に渡される薬剤が処方箋通りであるか否かの検査を支援する。
【００３３】
以下、図面を参照し、本発明の実施の形態を詳細に説明する。図１は、本発明の一実施形態の薬剤検査装置（画像処理装置）を含む薬剤検査システムの構成を示す。薬剤検査システムは、薬剤検査装置１０と、撮像装置（カメラ）２１、リーダ２２、及びモニタ２３を含む。薬剤検査装置１０は、画像バッファ１１、薬剤領域抽出手段１２、薬剤判別手段（第１の薬剤判別手段）１３、情報入力手段１４、薬剤データベース１５、比較対象選定手段１６、及び検査結果判定手段１７を有する。
【００３４】
カメラ２１は、分包された（調剤された）薬剤を撮影する。カメラ２１は、例えば調剤された薬剤が分包された分包袋を撮影する。あるいは、分包される前の、トレイなどに入れられた状態の薬剤を撮影してもよい。撮影に際しては、振動を与えるなどして、薬剤同士の重なりを解消しておくとよい。画像バッファ１１は、カメラ２１で撮影された撮影画像を格納する。薬剤領域抽出手段１２は、画像バッファ１１から薬剤の撮影画像を読み出し、撮影画像から薬剤領域部分を抽出する。薬剤領域抽出手段１２は、例えば１つの分包袋に複数個の薬剤が分包されているとき、各薬剤を分離して抽出する。
【００３５】
リーダ２２は、処方箋情報を読み取る。リーダ２２は、例えば紙に記載された処方箋からＯＣＲ（Optical Character Recognition）により処方された薬剤、その個数、及び服用時点などの情報を読み取る。処方箋に、処方された薬剤に関する情報を示すバーコードなどが付与されているときは、そのバーコードを読み取り、処方された薬剤、その個数、及び服用時点などの情報を読み取ってもよい。情報入力手段１４は、リーダ２２で読み取られた処方箋情報を入力する。あるいは、情報入力手段１４は、処方箋を作成する医師が使用するコンピュータと有線又は無線で通信し、医師のコンピュータから処方箋情報を入力するようにしてもよい。また、作業者が処方箋を読み取り、キーボードなどを用いて処方箋情報を入力してもよい。
【００３６】
薬剤データベース１５には、調剤され得る薬剤について各種情報を記憶する。薬剤データベース１５に格納される情報には、薬剤の画像情報（薬剤画像）が含まれる。比較対象選定手段１６は、薬剤データベース１５から、処方箋に従って調剤されるべき薬剤及びそれに類似する薬剤の薬剤画像を取得する。より詳細には、情報入力手段１４から処方箋情報を入力し、その処方箋情報に基づいて、薬剤データベース１５から、処方箋情報に含まれる薬剤及びそれに類似する薬剤の薬剤画像を取得する。
【００３７】
比較対象選定手段１６は、処方された薬剤に類似する薬剤の薬剤画像として、例えば処方された薬剤の特徴空間上での位置から所定のしきい値以内の距離にある薬剤の薬剤画像を取得する。薬剤の特徴としては、文字を含む薬剤表面上の輝度分布を示すパタン特徴、輪郭形状などを示す外形特徴、面積や長短軸の長さなどを示すサイズ特徴、及び色特徴などが考えられる。別例として、薬剤データベース１５に、各薬剤について、その薬剤に類似する薬剤のリストを設けておき、それを参照して類似する薬剤の薬剤画像を取得するようにしてもよい。
【００３８】
画像照合手段でもある薬剤判別手段１３は、カメラ２１からの薬剤の撮影画像を、比較対象選定手段１６が薬剤データベース１５から取得した薬剤画像と照合し、撮影画像中に存在する薬剤及びその個数を判別する。薬剤判別手段１３は、例えば薬剤領域抽出手段１２で抽出された各薬剤領域の画像から特徴量を抽出し、その特徴量と、薬剤データベース１５から取得された薬剤画像から抽出された特徴量とを比較することで、各薬剤領域がどの薬剤に該当するかを判別する。薬剤判別手段１３は、例えば特徴量が最も近い薬剤が、各薬剤画像（撮影画像）の薬剤であると判定する。
【００３９】
検査結果判定手段１７は、処方箋情報に基づいて、調剤された薬剤及びその個数が処方箋情報と合致するか否かを判定する。検査結果判定手段１７は、例えば分包ごとに薬剤の種類と個数とがあっているか否かを判定する。検査結果判定手段１７は、処方箋情報と合致すると判定したときは、検査結果ＯＫをモニタ２３上に表示する。あるいは、図示しない印刷装置を通じて、分包袋などに、検査ＯＫを示す表示を印刷してもよい。
【００４０】
ここで、ある薬剤と別の薬剤とが似すぎていると、画像による判別では両者を明確に区別できないことが考えられる。薬剤の検査にあたっては、本当は誤った薬剤が分包されているのに、検査ＯＫとなる事態は避けたい。そこで、特徴が類似しすぎており、画像解析では判別不能な薬剤が同時に処方されている場合には、画像解析を行うことなく、検査結果判定手段１７が判定不能を判定結果として出力するようにしてもよい。
【００４１】
例えば、薬剤データベース１５に、類似度が高くて画像による両者の判別が不能な薬剤のリスト（同時判定不能薬剤リスト）を格納しておく。検査結果判定手段１７は、処方箋情報を参照して、薬剤データベース１５から、処方された各薬剤に関連する同時判定不能薬剤リストを取得する。同時判定不能薬剤リストに含まれる薬剤が同時に処方されているときは、薬剤判別手段１３による照合を経ることなく、判定不能を出力してもよい。
【００４２】
図２は、薬剤データベース１５に格納される情報の一例を示す。薬剤データベース１５は、各薬剤について、例えば薬剤ＩＤ、薬剤名称、薬剤画像、類似薬剤リスト、及び同時判定不能薬剤リストを記憶する。薬剤ＩＤは、薬剤を一意に識別するために識別子であり、薬剤名称は、その薬剤の名称である。類似薬剤リストには、薬剤ＩＤで識別される薬剤に類似する１以上の薬剤のＩＤが格納される。図２の例では、薬剤名称「薬剤Ａ」の薬剤は、薬剤名称「薬剤Ｘ」及び「薬剤Ｙ」の薬剤と類似している。この場合、比較対象選定手段１６は、処方箋情報に「薬剤Ａ」が含まれるときは、「薬剤Ａ」の薬剤画像に加えて、「薬剤Ｘ」及び「薬剤Ｙ」の薬剤画像も取得する。
【００４３】
同時判定不能薬剤リストには、薬剤ＩＤで識別される薬剤と画像照合では区別がつきにくい薬剤のＩＤが格納される。図２の例では、薬剤名称「薬剤Ａ」の薬剤と、薬剤名称「薬剤Ｄ」及び「薬剤Ｅ」とは類似しすぎており、薬剤判別手段１３における画像照合では「薬剤Ａ」、薬剤名称「薬剤Ｄ」、及び「薬剤Ｅ」を明確に判別できない。これらの薬剤が同時に処方されたとき、すなわち、処方箋情報に「薬剤Ａ」と「薬剤Ｄ」や「薬剤Ｅ」とが含まれるとき、検査結果判定手段１７は、判定不能である旨を出力してもよい。
【００４４】
図３は、処方された薬剤と、比較対象選定手段１６が取得する薬剤画像との関係を示す。例えば処方箋において薬剤Ａ、薬剤Ｂ、及び薬剤Ｃの３つの薬剤が処方されていたとする。薬剤データベース１５に、図２に示す情報が格納されていた場合、比較対象選定手段１６は、薬剤データベース１５から、薬剤Ａ、薬剤Ｂ、及び薬剤Ｃの薬剤画像と、それらに類似する薬剤Ｘ、薬剤Ｙ、及び薬剤Ｚの薬剤画像とを取得する。薬剤判別手段１３は、薬剤領域抽出手段１２で抽出された各薬剤領域の画像と、比較対象選定手段１６が取得した薬剤画像とを照合し、特徴量の差に基づいて、薬剤領域抽出手段１２で抽出された各薬剤領域の画像が、照合対象である薬剤Ａ、Ｂ、Ｃ、Ｘ、Ｙ、及びＺのうちの何れに該当するかを判断する。
【００４５】
図４は、第１実施形態の薬剤検査システムの動作手順を示す。情報入力手段１４は、リーダ２２から処方箋情報を入力する（ステップＡ１）。検査結果判定手段１７は、薬剤データベース１５を参照し、同時判定不能薬剤が同時に処方されているか否かをチェックする（ステップＡ２）。検査結果判定手段１７は、例えば処方箋情報に含まれる薬剤に対応する同時判定不能薬剤リスト（図２）を参照し、処方箋情報に含まれる他の薬剤が同時判定不能薬剤リストに含まれているか否かを調べる。検査結果判定手段１７は、同時判定不能薬剤が同時に処方されているときは、判定不能である旨をモニタ２３上に表示する（ステップＡ１１）。なお、ステップＡ２は省略してもよい。
【００４６】
カメラ２１は、分包装置などによって分包された薬剤、又は、分包されるべき薬剤が各分包袋に対応したトレイなどに入れられている状態の薬剤を撮影する（ステップＡ３）。撮影された画像は画像バッファ１１に蓄積される。比較対象選定手段１６は、ステップＡ１で入力された処方箋情報に基づいて、処方されている薬剤、及びそれに類似する薬剤の薬剤画像（マスター）を取得する（ステップＡ４）。処方されている薬剤だけでなく、それに類似する薬剤の画像も取得することで、照合の範囲が類似範囲まで拡大される。
【００４７】
薬剤領域抽出手段１２は、カメラ２１で撮影された撮影画像から、薬剤領域を抽出する。薬剤判別手段１３は、抽出された薬剤領域のそれぞれを、比較対象選定手段１６が取得した薬剤画像のそれぞれと照合する（ステップＡ５）。薬剤判別手段１３は、薬剤領域から抽出した特徴量と、比較対象選定手段１６が取得した薬剤画像から抽出した特徴量とを比較することで、分包された薬剤とその個数とを判別する（ステップＡ６）。薬剤判別手段１３は、例えば服用時点ごとに、各服用時点に対応する分包袋に分包された薬剤がどの薬剤に該当し、それがいくつ分包されているかを判別する。
【００４８】
なお、薬剤判別手段１３は、薬剤領域画像から抽出した特徴量と比較対象選定手段１６が取得した薬剤画像（マスタ）から抽出した特徴量とを比較した結果、薬剤領域画像から抽出した特徴量に近い特徴量を持つ薬剤画像が複数存在する場合には、薬剤がどの薬剤に該当するか判別不能であると判定してもよい。例えば、薬剤判別手段１３は、比較対象選定手段１６が取得した薬剤画像のそれぞれについて、薬剤領域画像との特徴量の差を求め、特徴量の差が最も少ない（薬剤領域画像に最も似ている）薬剤画像と２番目に少ない（薬剤領域画像に２番目に似ている）薬剤画像とを特定する。薬剤領域画像に最も似ている薬剤画像と薬剤領域画像の特徴量の差と、２番目に似ている薬剤画像と薬剤領域画像の特徴量の差とを比較し、双方の差が同程度であれば（例えば比が所定の範囲内、又は差が所定の範囲内）、薬剤領域の薬剤がどの薬剤に該当するかの判別が不能であると判断してもよい。
【００４９】
検査結果判定手段１７は、ステップＡ６で判別された薬剤及びその個数を処方箋情報と比較し（ステップＡ７）、両者が合致するか否かを判断する（ステップＡ８）。検査結果判定手段１７は、例えば分包袋ごとに、分包された薬剤が処方箋情報と合致しているか否かを判断する。合致する場合、検査結果判定手段１７は、モニタ２３に検査結果ＯＫを出力する（ステップＡ９）。合致しない場合は、モニタ２３に検査結果ＮＧを出力する（ステップＡ１０）。検査結果の表示に際しては、カメラ２１で撮影された画像をモニタ２３に表示してもよい。ステップＡ６で、薬剤判別手段１３が画像照合の結果として薬剤の判別が不能であると判定した場合は、検査結果判定手段１７が判定不能であると判定してモニタ２３に判定不能を表示してもよい。
【００５０】
検査結果判定手段１７は、分包された薬剤及びその個数が処方箋情報と合致すると判定すると、合致すると判定された薬剤に対応する分包袋に検査結果ＯＫを示す印刷を行わせてもよい。例えば、薬剤検査装置１０による検査後、検査結果ＯＫと判定された分包袋に、朝、昼、夜、又は就寝前などの服用時点を示す情報や、分包袋内に収容されている薬剤の名称及びその個数を印刷してもよい。印刷は、例えば分包袋のシール部分に行えばよい。検査結果ＮＧと判定された分包袋については、連続的に分包されている分包袋の列からカットし、検査結果ＯＫと検査結果ＮＧとを分離するようにすればよい。
【００５１】
薬剤検査装置１０が検査結果ＮＧ又は判定不能と判定した場合は、印刷装置が、例えばＵＶインクなどの可視光下では人の目に見えないインクを用いて検査結果ＮＧ又は判定が不能である旨を印刷するようにしてもよい。薬剤師は、ＵＶ光などを用いることで、どの分包袋が検査結果ＮＧ又は判定不能であったかを知ることができる。検査結果判定手段１７は、検査結果ＮＧ又は判定不能と判定された分包袋を撮影した画像をモニタ２３上に拡大表示し、薬剤師に確認を促すようにしてもよい。薬剤師は、検査結果ＮＧ又は判定不能と判定された分包袋を目視で再検査し、誤りがないことが確認されれば、検査結果ＯＫを入力する。その場合、印刷装置が、朝、昼、夜、又は就寝前などの服用時点を示す情報や、分包袋内に収容されている薬剤の名称及びその個数を印刷する。患者にはＵＶインクで印刷された文字は見えないため、再検査でＯＫとなったときでも、検査結果ＮＧ又は判定不能を示す印刷を消去する必要がない。
【００５２】
本実施形態では、比較対象選定手段１６は、薬剤データベース１５から、処方された薬剤の薬剤画像と、それに類似する薬剤の薬剤画像とを、画像照合の対象となる画像として取得する。薬剤判別手段１３は、カメラ２１で撮影された薬剤の撮影画像を、比較対象選定手段１６が薬剤データベース１５から取得した薬剤画像と照合し、薬剤及びその個数を判別する。画像照合の対象を、処方箋に従って調剤されるべき薬剤だけでなく、それに類似する薬剤を加えた範囲まで拡大することで、誤って似た薬剤が誤って調剤されたときでも、検査結果ＯＫと誤判定される可能性を低減できる。また、検査の対象を類似する範囲としているため、薬剤データベース１５に登録された全ての薬剤と画像照合する場合に比べて、画像照合に要する時間を短縮でき、処理を高速化できる。
【００５３】
なお、薬剤検査装置１０は、薬剤データベース１５に登録されていない薬剤が処方されていたときには、その薬剤の薬剤領域画像を薬剤データベース１５に登録可能に構成することもできる。また、薬剤データベース１５は、必ずしも薬剤検査装置１０に設けられている必要はなく、薬剤検査装置１０に設けられた薬剤データベース１５に代えて、又はこれに加えて、リモートに設けた薬剤データベースを使用するようにしてもよい。
【００５４】
図５は、変形例の薬剤検査装置を示す。薬剤検査装置１０ａは、データベース登録手段１８と通信部１９とを更に有する。データベース登録手段１８は、薬剤データベース１５に処方された薬剤の情報（薬剤画像）が存在しないとき、ユーザに、撮影画像に含まれる、データベース未登録の薬剤の部分画像（薬剤領域画像）の指定を促す。ユーザは、例えばモニタ２３上に表示された各薬剤領域画像の中から、データベース未登録の薬剤を選んで指定する。データベース登録手段１８は、指定された薬剤領域画像を、その薬剤の薬剤画像として各種情報と共に薬剤データベース１５に追加登録する。
【００５５】
通信部１９は、ネットワーク２４を介してリモート（遠隔）の薬剤データベース２５と通信する。薬剤データベース２５には、薬剤検査装置１０に設けられた（ローカル）の薬剤データベース１５と同様な情報が登録されている。例えば新薬に関する情報や、使用頻度が低い薬剤の情報は薬剤検査装置１０内の薬剤データベース１５には存在せず、リモートの薬剤データベース２５にのみ存在する場合がある。比較対象選定手段１６は、処方された薬剤に関する情報がローカルの薬剤データベース１５に存在しないときは、通信部１９を介してリモートの薬剤データベース１５にアクセスし、そこから薬剤画像を取得する。このとき取得した薬剤画像を、データベース登録手段１８がローカルの薬剤データベース１５に登録するようにしてもよい。
【００５６】
続いて、本発明の第２実施形態を説明する。図６は、本発明の第２実施形態の薬剤検装置を含む薬剤検査システムを示す。本実施形態における薬剤検査システムは、図１に示す第１実施形態の薬剤検査システムの構成に加えて、分包（調剤）の際に際に使用された薬剤を特定するための払出し情報を読み取るリーダ２８を備える。本実施形態では、分包されるべき薬剤及びそれに類似する薬剤の薬剤画像を取得する際に、リーダ２８から入力された払出し情報を用いる。その他の点は第１実施形態と同様でよい。
【００５７】
リーダ２８は、例えば自動薬剤払出し装置から、処方箋情報に従って払い出された薬剤を識別する情報を取得する。あるいは、薬剤を払い出すトレイにＲＦＩＤタグを設け、薬剤の払い出し時にＲＦＩＤタグに払い出した薬剤を識別する情報を記憶しておき、ＲＦＩＤタグから払出し情報を読み取ることとしてもよい。情報入力手段１４は、リーダ２８で読み取られた払出し情報を入力する。あるいは、自動薬剤払出し装置と有線又は無線で通信し、自動薬剤払出し装置から払出し情報を直接に入力するようにしてもよい。比較対象選定手段１６は、薬剤データベース１５から、払出し情報に含まれる薬剤及びそれに類似する薬剤の薬剤画像を取得する。
【００５８】
薬剤の分包では、払い出された薬剤が分包袋に分包されるため、払い出しにミスがなければ、基本的には処方箋通りに正しく分包することができるはずである。しかしながら、全くミスが起こる確率はないとは言い切れない。本実施形態では、払い出した薬剤を中心として、それに類似する薬剤にまで照合の範囲を広げて検査を行うことで、薬剤が処方箋通りに分包されているか否かを正しくチェックすることができ、払い出しから分包までの間で発生し得るミスを防止できる。その他の効果は第１実施形態と同様である。
【００５９】
引き続き本発明の第３実施形態を説明する。図７は、本発明の第３実施形態の薬剤検査装置を含む薬剤検査システムを示す。本実施形態の薬剤検査装置１０ｂは、図１に示す第１実施形態の薬剤検査装置１０の構成に加えて、一次判別手段（第２の薬剤判別手段）１９を有する。
【００６０】
一次判別手段２０は、調剤された薬剤の撮影画像から各薬剤の外形特徴及びサイズ特徴を抽出し、抽出した外形特徴及びサイズ特徴と、調剤されるべき薬剤の外形特徴及びサイズ特徴と比較して薬剤の一次判別を行う。一次判別は、例えば外形特徴及びサイズ特徴に基づいて判別が可能な薬剤について行う。例えば、一次判別手段２０は、処方箋情報に、外形特徴及びサイズ特徴が類似する２以上の薬剤が含まれているか否かを調べる。一次判別手段２０は、外形特徴及びサイズ特徴が互いに類似する薬剤が含まれているときは、それら類似する２以上の薬剤を一次判別では判別不能と判定し、一次判別の対象から除外する。外形特徴及びサイズ特徴に加えて、色特徴を用いて一次判別を行ってもよい。薬剤判別手段１３は、一次判別手段２０で判別不能な薬剤について、撮影画像と薬剤データベース１５から取得された薬剤画像（マスタ）との詳細な照合を行う。
【００６１】
薬剤判別手段１３と一次判別手段２０とで、用いる撮影画像は異なっていてもよい。図８は、カメラ２１による分包袋の撮影を示す。例えば検査台２６の上に分包袋３０が搬送され、分包袋３０に収容された薬剤がカメラ２１により撮影される。図８では、光透過性を有する検査台２６を挟んで対向する位置にライト２７が設けられている。カメラ２１は、ライト２７を点灯した状態と、消灯した状態（カメラ２１側からの光が分包袋３０に照射される状態）との２つの状態で、撮影を行う。ライト２７を点灯して撮影することで、撮影画像には薬剤のシルエットが現れ、薬剤の外形及びサイズがより明確になる。
【００６２】
薬剤領域抽出手段１２は、ライト２７が点灯された状態で撮影された撮影画像（透過照明撮影画像）から薬剤領域を抽出し、抽出した薬剤領域を一次判別手段２０に渡す。薬剤データベース１５には、薬剤画像に加えて、各薬剤の外形特徴及びサイズ特徴が格納されており、一次判別手段２０は、薬剤データベース１５から、処方箋情報に含まれる薬剤の外形特徴及びサイズ特徴を取得する。一次判別手段２０は、透過照明撮影画像から各薬剤の外形特徴及びサイズ特徴を抽出し、それらを、薬剤データベース１５から取得した外形特徴及びサイズ特徴と比較することで、薬剤及びその個数を一次判別する。
【００６３】
また、薬剤領域抽出手段１２は、ライト２７が消灯された状態で撮影された通常の撮影画像から薬剤領域を抽出し、抽出した薬剤領域を薬剤判別手段１３に渡す。比較対象選定手段１６は、処方箋情報に含まれる薬剤のうち、一次判別手段２０で判別しなかった薬剤の薬剤画像及びそれに類似する薬剤の薬剤画像を取得する。薬剤判別手段１３は、各薬剤領域の画像を、比較対象選定手段１６が取得した薬剤画像と照合し、一次判別で判別しなかった薬剤がどの薬剤であり、それが何個含まれるかを判別する。なお、比較対象選定手段１６は、第２実施形態と同様に、処方箋情報に代えて払出し情報を用いてもよい。
【００６４】
図９は、第３実施形態の薬剤検査システムにおける動作手順を示す。情報入力手段１４は、リーダ２２から処方箋情報を入力する（ステップＢ１）。検査結果判定手段１７は、薬剤データベース１５を参照し、同時判定不能薬剤が同時に処方されているか否かをチェックする（ステップＢ２）。検査結果判定手段１７は、例えば処方箋情報に含まれる薬剤に対応する同時判定不能薬剤リスト（図２）を参照し、処方箋情報に含まれる他の薬剤が同時判定不能薬剤リストに含まれているか否かを調べる。検査結果判定手段１７は、同時判定不能薬剤が同時に処方されているときは、判定不能である旨をモニタ２３上に表示する（ステップＢ１４）。なお、ステップＢ２は省略してもよい。
【００６５】
カメラ２１は、分包装置などによって分包された薬剤、又は、分包されるべき薬剤が各分包袋に対応したトレイなどに入れられている状態の薬剤を撮影する（ステップＢ３）。ステップＢ３では、カメラ２１とは反対側から薬剤に照明を照射し、薬剤のシルエットを撮影するとよい。薬剤領域抽出手段１２は、ステップＢ３で撮影された撮影画像（透過照明撮影画像）から、薬剤領域を抽出する。
【００６６】
一次判別手段２０は、処方箋情報を参照して、外形特徴及びサイズ特徴で判別可能な薬剤を特定する。例えば、分包される複数の薬剤のうち、１つの薬剤のみがカプセルなどの一方向に長い外形を持つものであるとき、分包される複数の薬剤の中からカプセル形状の薬剤を判別することは容易である。一方で、分包される複数の薬剤に、扁平した丸い錠剤のような形状で大きさも似通っている薬剤が複数含まれるような場合、外形特徴及びサイズ特徴でそれら薬剤を正しく判別することは難しい。一次判別手段２０は、処方箋情報に含まれる薬剤のうち、外形特徴及びサイズ特徴が類似する薬剤が存在しない薬剤を一次判別の対象とし、それ以外の薬剤を一次判別では判定不能（判定除外）と判定する。
【００６７】
一次判別手段２０は、薬剤データベース１５から、一次判定の対象となる薬剤の外形特徴及びサイズ特徴を取得する。一次判別手段２０は、薬剤領域抽出手段１２が抽出した各薬剤領域から外形特徴及びサイズ特徴を抽出し、それら特徴と、薬剤データベース１５から取得した外形特徴及びサイズ特徴と比較する。一次判別手段２０は、特徴量の差が最も少ない薬剤を、各薬剤領域の薬剤であると判定する（ステップＢ４）。このとき、特徴量の差が同程度の薬剤が複数存在する場合には判別不能と判定してもよい。一次判別手段２０は、一次判別の対象とされた特定の薬剤について、それがいくつ分包されているかを判別する。
【００６８】
一次判別後、一次判別で判別不能であった薬剤について、画像照合による詳細な二次判別を行う。カメラ２１は、分包装置などによって分包された薬剤、又は、分包されるべき薬剤が各分包袋に対応したトレイなどに入れられている状態の薬剤を撮影する（ステップＢ５）。このとき、カメラ２１と反対側から照明は照射せず、薬剤の色や薬剤に付された文字、パタンなどが撮影画像で視認できるようにする。なお、一次判別に透過照明撮影画像を用いない場合はステップＢ５を省略し、一次判別と二次判別とを同じ撮影画像を用いて行うこととしてもよい。比較対象選定手段１６は、処方されている薬剤のうち、一次判別で判別しなかった薬剤、及びそれに類似する薬剤の薬剤画像（マスター）を取得する（ステップＢ６）。一次判別でいくつかの薬剤が判別しているため、詳細な画像照合を行う薬剤の数を減らすことができる。
【００６９】
薬剤領域抽出手段１２は、ステップＢ５で撮影された撮影画像から、薬剤領域を抽出する。薬剤判別手段１３は、抽出された薬剤領域のうち、一次判別で判別した薬剤領域を除く薬剤領域のそれぞれを、比較対象選定手段１６が取得した薬剤画像のそれぞれと照合する（ステップＢ７）。薬剤判別手段１３は、薬剤領域から抽出した特徴量と、比較対象選定手段１６が取得した薬剤画像から抽出した特徴量とを比較することで、一次判別では判別しなかった薬剤とその個数とを判別する（ステップＢ８）。なお、一次判別で全ての薬剤が判別可能である場合は、ステップＢ５からＢ８は省略できる。
【００７０】
検査結果判定手段１７は、ステップＢ４及びステップＢ８で判別された薬剤及びその個数を処方箋情報と比較し（ステップＢ９）、両者が合致するか否かを判断する（ステップＢ１０）。検査結果判定手段１７は、例えば分包袋ごとに、分包された薬剤が処方箋情報と合致しているか否かを判断する。合致する場合、検査結果判定手段１７は、モニタ２３に検査結果ＯＫを出力する（ステップＢ１１）。合致しない場合は、モニタ２３に検査結果ＮＧを出力する（ステップＢ１２）。検査結果の表示に際しては、ステップＢ３及びＢ５で撮影された画像のうちの少なくとも一方をモニタ２３に表示してもよい。
【００７１】
本実施形態では、外形特徴及びサイズ特徴で判別可能な薬剤については一次判別手段２０で判別を行い、薬剤判別手段１３は、一次判別手段２０で判別できない（判別対象でない）薬剤について画像照合を行う。外形特徴及びサイズ特徴に基づく薬剤の判別は、画像照合による判別よりも簡易に行うことができる。本実施形態では、一次判別手段２０を用いて画像照合の対象となる薬剤を減らすことができ、画像照合の対象を減らす分だけ、薬剤判別を効率的に行うことが可能である。その他の効果は、第１又は第２実施形態と同様である。
【００７２】
なお、薬剤判別手段１３は、画像から文字を抽出して認識する文字認識手段を有していてもよい。例えば撮影画像から薬剤名称や薬剤に固有な文字列を抽出して認識し、その認識した文字に基づいて撮影画像中に存在する薬剤を判別することとしてもよい。また、図８にはカメラが１つ図示されているが、第３実施形態においてカメラを２つ設け、ライト２７を点灯した状態の撮影画像と、ライト２７を消灯した状態の撮影画像とを、別個のカメラで撮影するようにしてもよい。
【００７３】
以上、本発明をその好適な実施形態に基づいて説明したが、本発明の薬剤検査装置及び方法は、上記実施形態にのみ限定されるものではなく、上記実施形態の構成から種々の修正及び変更を施したものも、本発明の範囲に含まれる。
【符号の説明】
【００７４】
１０：薬剤検査装置
１１：画像バッファ
１２：薬剤領域抽出手段
１３：薬剤判別手段（第１の薬剤判別手段）
１４：情報入力手段
１５：薬剤データベース
１６：比較対象選定手段
１７：検査結果判定手段
１８：データベース登録手段
１９：通信部
２０：一次判別手段（第２の薬剤判別手段）
２１：撮像装置（カメラ）
２２、２８：リーダ
２３：モニタ
２４：ネットワーク
２５：薬剤データベース（リモート）
２６：検査台
２７：ライト
３０：分包袋
【図１】
2014064836.tif 000003
【図２】
2014064836.tif 000004
【図３】
2014064836.tif 000005
【図４】
2014064836.tif 000006
【図５】
2014064836.tif 000007
【図６】
2014064836.tif 000008
【図７】
2014064836.tif 000009
【図８】
2014064836.tif 000010
【図９】
2014064836.tif 000011